(57)【要約】【課題】ノズルの先端部に対してノズル当接部材の凹部を押し付けた状態で上記先端部を清掃するノズル清掃技術において、ノズル当接部材の局部的な摩耗を防止してノズル当接部材の寿命を延ばすとともに摩擦粉の発生を低減させる。【解決手段】先端部に当接可能な内側面を有する凹部が設けられたノズル当接部材と、ノズル当接部材が先端部に押し付けられた状態で先端部に対してノズル当接部材を吐出口の延設方向に相対的に移動させる駆動部とを備え、ノズル当接部材は、先端部へのノズル当接部材の押し付けが作用していない状態で内側面のうち凹部の開口側の端部で先端部を係止する一方、押し付けが作用する状態で先端部と凹部とが相互に近接することで凹部を弾性変形させて内側面による先端部の押圧範囲を広げる。【選択図】図７
2018187598.tif 000002
【特許請求の範囲】
【請求項１】
塗布液を吐出するスリット状の吐出口が設けられたノズルの先端部を清掃するノズル清掃装置であって、
前記先端部に当接可能な内側面を有する凹部が設けられたノズル当接部材と、
前記ノズル当接部材が前記先端部に押し付けられた状態で前記先端部に対して前記ノズル当接部材を前記吐出口の延設方向に相対的に移動させる駆動部とを備え、
前記ノズル当接部材は、前記先端部への前記ノズル当接部材の押し付けが作用していない状態で前記内側面のうち前記凹部の開口側の端部で前記先端部を係止する一方、前記押し付けが作用する状態で前記先端部と前記凹部とが相互に近接することで前記凹部を弾性変形させて前記内側面による前記先端部の押圧範囲を広げる
ことを特徴とするノズル清掃装置。
【請求項２】
請求項１に記載のノズル清掃装置であって、
前記先端部への前記ノズル当接部材の押し付けが作用していない状態において、前記延設方向から見たときの前記先端部と前記凹部とが相互に近接する近接方向に対する前記内側面の傾斜角は前記先端部のうち前記内側面に押圧される被押圧面の前記近接方向に対する傾斜角よりも小さいノズル清掃装置。
【請求項３】
請求項２に記載のノズル清掃装置であって、
前記内側面の前記傾斜角を調整する傾斜角調整部をさらに備えるノズル清掃装置。
【請求項４】
請求項２に記載のノズル清掃装置であって、
前記ノズル当接部材は、前記内側面の前記傾斜角が前記被押圧面の前記傾斜角よりも小さくなるように成形されているノズル清掃装置。
【請求項５】
請求項１ないし４のいずれか一項に記載のノズル清掃装置であって、
前記ノズル当接部材は弾性体であるノズル清掃装置。
【請求項６】
スリット状の吐出口から塗布液を吐出するノズルと、
請求項１ないし５のいずれか一項に記載のノズル清掃装置と
を備えることを特徴とする塗布装置。
【請求項７】
塗布液を吐出するスリット状の吐出口が設けられたノズルの先端部を、ノズル当接部材に設けられた凹部の内側面のうち前記凹部の開口側の端部で係止する工程と、
前記凹部の開口側の端部で係止された前記先端部に対して前記ノズル当接部材を押し付けることで前記凹部を弾性変形させて前記内側面により前記先端部を押圧する工程と、
前記凹部の内側面が前記先端部を押圧している状態で前記ノズル当接部材を前記吐出口の延設方向に相対移動させて前記先端部を清掃する工程と
を備えることを特徴とするノズル清掃方法。
【発明の詳細な説明】
【技術分野】
【０００１】
この発明は、液晶表示装置用ガラス基板、半導体基板、ＰＤＰ用ガラス基板、フォトマスク用ガラス基板、カラーフィルター用基板、記録ディスク用基板、太陽電池用基板、電子ペーパー用基板等の精密電子装置用基板、矩形ガラス基板、フィルム液晶用フレキシブル基板、有機ＥＬ用基板（以下、単に「基板」と称する）に対してノズルの先端部に設けられた吐出口から塗布液を吐出して塗布する塗布装置、上記ノズルの先端部に付着する付着物を除去して清掃するノズル清掃技術に関するものである。
【背景技術】
【０００２】
従来、基板に対して塗布液を塗布するために、例えば特許文献１に記載されているように塗布液を吐出口から吐出するノズルが一般に用いられている。このようなノズルでは、吐出口が設けられた先端部の側面に付着し、乾燥して硬化した塗布液等の付着物が落下して基板を汚す場合があった。そこで、例えば特許文献２に記載されている塗布液の除去技術が用いられている。特許文献２に記載のスリットコータ（塗布装置）では、ノズルによる塗布の開始前にノズル清掃処理が実行される。このノズル清掃処理では、拭き取りヘッドに設けられたノズル当接部材をノズルの先端部に当接させるまま拭き取りヘッドをノズルに対して相対移動させることで、ノズルの先端部の側面に付着した塗布液を除去する。
【先行技術文献】
【特許文献】
【０００３】
【特許文献１】特許第５３４６６４３号
【特許文献２】特許第５７６６９９０号公報
【発明の概要】
【発明が解決しようとする課題】
【０００４】
ところで、上記特許文献２に記載のスリットコータでは、清掃部材はノズルの先端部にフィットする略Ｖ字形状の凹部を有している。そして、清掃部材はバネ等の弾性体により鉛直上方に付勢され、凹部がノズルの先端部に押し付けられ、この状態で拭き取りヘッドがノズルの先端部に沿って移動する。このようにノズルの先端部への凹部の押し付けにより清掃部材に印加される応力はノズルの先端部の角部分と当接する部位に集中する。そのため、ノズルの先端部の清掃を繰り返して行っている間に、上記部位が部分的に摩耗し、清掃部材の凹部の形状が変化することがある（例えば後で説明する図７の（ａ−１）〜（ａ−３）参照）。この形状変化によって清掃性能が低下するという問題が発生している。また、上記摩耗によって摩擦粉が発生し、吐出口に入ってしまい、塗布液とともに基板の表面に供給されてしまい、塗布品質の低下を招くことがあった。
【０００５】
この発明は上記課題に鑑みなされたものであり、ノズルの先端部に対してノズル当接部材の凹部を押し付けた状態で上記先端部を清掃するノズル清掃技術において、ノズル当接部材の局部的な摩耗を防止してノズル当接部材の寿命を延ばすとともに摩擦粉の発生を低減させることを目的とする。
【課題を解決するための手段】
【０００６】
この発明の第１の態様は、塗布液を吐出するスリット状の吐出口が設けられたノズルの先端部を清掃するノズル清掃装置であって、先端部に当接可能な内側面を有する凹部が設けられたノズル当接部材と、ノズル当接部材が先端部に押し付けられた状態で先端部に対してノズル当接部材を吐出口の延設方向に相対的に移動させる駆動部とを備え、ノズル当接部材は、先端部へのノズル当接部材の押し付けが作用していない状態で内側面のうち凹部の開口側の端部で先端部を係止する一方、押し付けが作用する状態で先端部と凹部とが相互に近接することで凹部を弾性変形させて内側面による先端部の押圧範囲を広げることを特徴としている。
【０００７】
また、この発明の第２の態様は、ノズル清掃方法であって、塗布液を吐出するスリット状の吐出口が設けられたノズルの先端部を、ノズル当接部材に設けられた凹部の内側面のうち凹部の開口側の端部で係止する工程と、凹部の開口側の端部で係止された先端部に対してノズル当接部材を押し付けることで凹部を弾性変形させて内側面により先端部を押圧する工程と、凹部の内側面が先端部を押圧している状態でノズル当接部材を吐出口の延設方向に相対移動させて先端部を清掃する工程とを備えることを特徴としている。
【０００８】
このように構成された発明では、ノズルの先端部にノズル当接部材を接触させ、さらに押し付けてノズル清掃を行う。この接触は、先端部へのノズル当接部材の押し付けが作用していない状態で内側面のうち凹部の開口側の端部で先端部を係止している。そして、凹部の開口側の端部で係止された先端部に対してノズル当接部材が押し付けられた状態で先端部と凹部とが相互に近接する。これによって、凹部が弾性変形して内側面による先端部の押圧範囲が広がり、ノズル清掃が行われる。
【発明の効果】
【０００９】
以上のように、ノズル当接部材に設けられた凹部の開口側の端部でノズルの先端部を係止した後に、先端部に対してノズル当接部材を押し付けることで凹部を弾性変形させて内側面により先端部を押圧している。これによって、ノズル当接部材の一部に応力が集中するのを抑え、ノズル当接部材の局部的な摩耗を防止してノズル当接部材の寿命を延ばすとともに摩擦粉の発生を低減させることができる。
【図面の簡単な説明】
【００１０】
【図１】本発明にかかるノズル清掃装置の一実施形態を装備する塗布装置の全体構成を模式的に示す図である。
【図２】ノズルの斜め下方から見た斜視図である。
【図３Ａ】ノズルクリーナの構成を示す斜視図である。
【図３Ｂ】図３Ａに示すノズルクリーナの部分拡大斜視図である。
【図４】ノズルクリーナのスプレッダを示す斜視図である。
【図５】ノズルクリーナによるノズル清掃処理の一例を示すフローチャートである。
【図６】図５のフローチャートに従って実行される動作を模式的に示す正面図である。
【図７】清掃方向の下流側から見たときのノズルのリップ部とスクレーパとの位置関係を模式的に示す図である。
【図８】本発明にかかるノズル清掃装置の他の実施形態を示す図である。
【図９】本発明にかかるノズル清掃装置の別の実施形態を示す図である。
【図１０】本発明にかかるノズル清掃装置のさらに他の実施形態を示す図である。
【発明を実施するための形態】
【００１１】
図１は本発明にかかるノズル清掃装置の一実施形態を装備する塗布装置の全体構成を模式的に示す図である。この塗布装置１は、図１の左手側から右手側に向けて水平姿勢で搬送される基板Ｗの上面Ｗｆに塗布液を塗布するスリットコータである。なお、以下の各図において装置各部の配置関係を明確にするために、基板Ｗの搬送方向を「Ｘ方向」とし、図１の左手側から右手側に向かう水平方向を「＋Ｘ方向」と称し、逆方向を「−Ｘ方向」と称する。また、Ｘ方向と直交する水平方向Ｙのうち、装置の正面側を「−Ｙ方向」と称するとともに、装置の背面側を「＋Ｙ方向」と称する。さらに、鉛直方向Ｚにおける上方向および下方向をそれぞれ「＋Ｚ方向」および「−Ｚ方向」と称する。
【００１２】
まず図１を用いてこの塗布装置１の構成および動作の概要を説明し、その後でメンテナンスユニットのより詳細な構造について説明する。なお、塗布装置１の基本的な構成や動作原理は、本願出願人が先に開示した特許文献１に記載されたものと共通している。そこで、本明細書では、塗布装置１の各構成のうちこれらの公知文献に記載のものと同様の構成を適用可能なもの、およびこれらの文献の記載から構造を容易に理解することのできるものについては詳しい説明を省略し、本実施形態の特徴的な部分を主に説明することとする。
【００１３】
塗布装置１では、基板Ｗの搬送方向Ｄｔ（＋Ｘ方向）に沿って、入力コンベア１００、入力移載部２、浮上ステージ部３、出力移載部４、出力コンベア１１０がこの順に近接して配置されており、以下に詳述するように、これらにより略水平方向に延びる基板Ｗの搬送経路が形成されている。なお、以下の説明において基板Ｗの搬送方向Ｄｔと関連付けて位置関係を示すとき、「基板Ｗの搬送方向Ｄｔにおける上流側」を単に「上流側」と、また「基板Ｗの搬送方向Ｄｔにおける下流側」を単に「下流側」と略することがある。この例では、ある基準位置から見て相対的に（−Ｘ）側が「上流側」、（＋Ｘ）側が「下流側」に相当する。
【００１４】
処理対象である基板Ｗは図１の左手側から入力コンベア１００に搬入される。入力コンベア１００は、コロコンベア１０１と、これを回転駆動する回転駆動機構１０２とを備えており、コロコンベア１０１の回転により基板Ｗは水平姿勢で下流側、つまり（＋Ｘ）方向に搬送される。入力移載部２は、コロコンベア２１と、これを回転駆動する機能および昇降させる機能を有する回転・昇降駆動機構２２とを備えている。コロコンベア２１が回転することで、基板Ｗはさらに（＋Ｘ）方向に搬送される。また、コロコンベア２１が昇降することで基板Ｗの鉛直方向位置が変更される。このように構成された入力移載部２により、基板Ｗは入力コンベア１００から浮上ステージ部３に移載される。
【００１５】
浮上ステージ部３は、基板の搬送方向Ｄｔに沿って３分割された平板状のステージを備える。すなわち、浮上ステージ部３は入口浮上ステージ３１、塗布ステージ３２および出口浮上ステージ３３を備えており、これらの各ステージの上面は互いに同一平面の一部をなしている。入口浮上ステージ３１および出口浮上ステージ３３のそれぞれの上面には浮上制御機構３５から供給される圧縮空気を噴出する噴出孔がマトリクス状に多数設けられており、噴出される気流から付与される浮力により基板Ｗが浮上する。こうして基板Ｗの下面Ｗｂがステージ上面から離間した状態で水平姿勢に支持される。基板Ｗの下面Ｗｂとステージ上面との距離、つまり浮上量は、例えば１０マイクロメートルないし５００マイクロメートルとすることができる。
【００１６】
一方、塗布ステージ３２の上面では、圧縮空気を噴出する噴出孔と、基板Ｗの下面Ｗｂとステージ上面との間の空気を吸引する吸引孔とが交互に配置されている。浮上制御機構３５が噴出孔からの圧縮空気の噴出量と吸引孔からの吸引量とを制御することにより、基板Ｗの下面Ｗｂと塗布ステージ３２の上面との距離が精密に制御される。これにより、塗布ステージ３２の上方を通過する基板Ｗの上面Ｗｆの鉛直方向位置が規定値に制御される。浮上ステージ部３の具体的構成としては、例えば特許第５３４６６４３号（特許文献１）に記載のものを適用可能である。なお、塗布ステージ３２での浮上量については後で詳述するセンサ６１、６２による検出結果に基づいて制御ユニット９により算出され、また気流制御によって高精度に調整可能となっている。
【００１７】
なお、入口浮上ステージ３１には、図には現れていないリフトピンが配設されており、浮上ステージ部３にはこのリフトピンを昇降させるリフトピン駆動機構３４が設けられている。
【００１８】
入力移載部２を介して浮上ステージ部３に搬入される基板Ｗは、コロコンベア２１の回転により（＋Ｘ）方向への推進力を付与されて、入口浮上ステージ３１上に搬送される。入口浮上ステージ３１、塗布ステージ３２および出口浮上ステージ３３は基板Ｗを浮上状態に支持するが、基板Ｗを水平方向に移動させる機能を有していない。浮上ステージ部３における基板Ｗの搬送は、入口浮上ステージ３１、塗布ステージ３２および出口浮上ステージ３３の下方に配置された基板搬送部５により行われる。
【００１９】
基板搬送部５は、基板Ｗの下面周縁部に部分的に当接することで基板Ｗを下方から支持するチャック機構５１と、チャック機構５１上端の吸着部材に設けられた吸着パッド（図示省略）に負圧を与えて基板Ｗを吸着保持させる機能およびチャック機構５１をＸ方向に往復走行させる機能を有する吸着・走行制御機構５２とを備えている。チャック機構５１が基板Ｗを保持した状態では、基板Ｗの下面Ｗｂは浮上ステージ部３の各ステージの上面よりも高い位置に位置している。したがって、基板Ｗは、チャック機構５１により周縁部を吸着保持されつつ、浮上ステージ部３から付与される浮力により全体として水平姿勢を維持する。なお、チャック機構５１により基板Ｗの下面Ｗｂを部分的に保持した段階で基板Ｗの上面の鉛直方向位置を検出するために板厚測定用のセンサ６１がコロコンベア２１の近傍に配置されている。このセンサ６１の直下位置に基板Ｗを保持していない状態のチャック（図示省略）が位置することで、センサ６１は吸着部材の上面、つまり吸着面の鉛直方向位置を検出可能となっている。
【００２０】
入力移載部２から浮上ステージ部３に搬入された基板Ｗをチャック機構５１が保持し、この状態でチャック機構５１が（＋Ｘ）方向に移動することで、基板Ｗが入口浮上ステージ３１の上方から塗布ステージ３２の上方を経由して出口浮上ステージ３３の上方へ搬送される。搬送された基板Ｗは、出口浮上ステージ３３の（＋Ｘ）側に配置された出力移載部４に受け渡される。
【００２１】
出力移載部４は、コロコンベア４１と、これを回転駆動する機能および昇降させる機能を有する回転・昇降駆動機構４２とを備えている。コロコンベア４１が回転することで、基板Ｗに（＋Ｘ）方向への推進力が付与され、基板Ｗは搬送方向Ｄｔに沿ってさらに搬送される。また、コロコンベア４１が昇降することで基板Ｗの鉛直方向位置が変更される。コロコンベア４１の昇降により実現される作用については後述する。出力移載部４により、基板Ｗは出口浮上ステージ３３の上方から出力コンベア１１０に移載される。
【００２２】
出力コンベア１１０は、コロコンベア１１１と、これを回転駆動する回転駆動機構１１２とを備えており、コロコンベア１１１の回転により基板Ｗはさらに（＋Ｘ）方向に搬送され、最終的に塗布装置１外へと払い出される。なお、入力コンベア１００および出力コンベア１１０は塗布装置１の構成の一部として設けられてもよいが、塗布装置１とは別体のものであってもよい。また例えば、塗布装置１の上流側に設けられる別ユニットの基板払い出し機構が入力コンベア１００として用いられてもよい。また、塗布装置１の下流側に設けられる別ユニットの基板受け入れ機構が出力コンベア１１０として用いられてもよい。
【００２３】
このようにして搬送される基板Ｗの搬送経路上に、基板Ｗの上面Ｗｆに塗布液を塗布するための塗布機構７が配置される。塗布機構７はスリットノズルであるノズル７１を有している。ノズル７１には、図示しない塗布液供給部から塗布液が供給され、ノズル下部に下向きに開口する吐出口から塗布液が吐出される。
【００２４】
ノズル７１は、位置決め機構７９によりＸ方向およびＺ方向に移動位置決め可能となっている。位置決め機構７９により、ノズル７１が塗布ステージ３２の上方の塗布位置（点線で示される位置）に位置決めされる。塗布位置に位置決めされたノズルから塗布液が吐出されて、塗布ステージ３２との間を搬送されてくる基板Ｗに塗布される。こうして基板Ｗへの塗布液の塗布が行われる。
【００２５】
ノズル７１に対しメンテナンスを行うためのメンテナンスユニット８が設けられている。メンテナンスユニット８は、バット８ａ内に設けられた、洗浄液貯留槽８ｂと、ノズルクリーナ８ｃと、洗浄液貯留槽８ｂおよびノズルクリーナ８ｃの動作を制御するメンテナンス制御機構８ｄとを備えている。
【００２６】
ノズル７１がノズルクリーナ８ｃの上方位置（ノズル清掃位置）にある状態では、ノズルクリーナ８ｃによりノズル７１の吐出口の周囲に付着した塗布液が除去される。このように塗布位置へ移動させる前のノズル７１に対して清掃処理を行わせることにより、塗布位置での塗布液の吐出をその初期段階から安定させることができる。なお、ノズル７１およびノズルクリーナ８ｃの詳しい構成、ならびにノズルクリーナ８ｃによるノズル７１のノズル清掃処理については後で詳述する。
【００２７】
また、位置決め機構７９は、ノズル７１をノズル下端が洗浄液貯留槽８ｂ内に貯留される洗浄液に接液する位置（待機位置）に位置決めすることが可能である。ノズル７１を用いた塗布処理が実行されないときには、ノズル７１はこの待機位置に位置決めされる。なお、上記洗浄液に超音波を付与してノズル下端を洗浄する構成としてもよい。
【００２８】
この他、塗布装置１には、装置各部の動作を制御するための制御ユニット９が設けられている。制御ユニット９は所定の制御プログラムや各種データを記憶する記憶手段、この制御プログラムを実行することで装置各部に所定の動作を実行させるＣＰＵなどの演算手段、ユーザや外部装置との情報交換を担うインターフェース手段などを備えている。本実施形態では、後述するように演算手段が装置各部を制御して上記ノズル清掃処理を実行する。
【００２９】
図２はノズルの斜め下方から見た斜視図である。なお、同面においては清掃対象となるノズル７１の吐出口７１１の近傍の構成を明確にするためにノズル先端の寸法を実際とは異ならせて示している。この点については後で説明する図３Ａや図３Ｂなどにおいても同様である。
【００３０】
このノズル７１はＹ方向に延びる長尺スリット状の開口部である吐出口７１１を有している。吐出口７１１はＹ方向においてノズル７１の全長より短い吐出口範囲７１Ｒで開口し、吐出口形成部７２の主要構成となっている。一方、ノズル７１のＹ方向の両端では吐出口７１１が開口せず、吐出口形成部７２の（＋Ｙ）側で傾斜部７３が設けられるとともに、（−Ｙ）側で段差部７４が設けられている。
【００３１】
このノズル７１は浮上ステージ部３により浮上されながらＸ方向に搬送される基板Ｗの上面Ｗｆに向けて吐出口７１１から鉛直下方、つまり（−Ｚ）方向に塗布液を吐出可能な構成を有する。具体的には、ノズル７１は、図示を省略するノズル支持体によって固定支持されるノズル本体部７５と、ノズル本体部７５より下方に突出するリップ部７６とを有している。そして、ノズル７１に対して塗布液が図外の供給機構から圧送されると、ノズル本体部７５の内部に形成される内部流路を経由して吐出口７１１に送液され、吐出口７１１から（−Ｚ）方向に吐出される。
【００３２】
リップ部７６は、その長手方向であるＹ方向からの側面視において先細りの凸形状を有し、その先端（下端）に設けられた先端面７６１と、先端面７６１の（＋Ｘ）側に形成されるリップ側面７６２ａと、（−Ｘ）側に形成されるリップ側面７６２ｂとを有している。以下の説明では、リップ側面７６２ａとリップ側面７６２ｂとを区別しないときは、単にリップ側面７６２と呼ぶ。また、リップ部７６には、上記した吐出口形成部７２、傾斜部７３および段差部７４が設けられている。
【００３３】
吐出口形成部７２では、上記先端面７６１の中央部で平坦状の先端面７２１が鉛直下方（−Ｚ方向）に向けて設けられ、当該先端面７２１に吐出口範囲７１Ｒの吐出口７１１が設けられている。
【００３４】
また、傾斜部７３は、吐出口形成部７２の（＋Ｙ）側端部Ｐ２から吐出口７１１の延設方向Ｙの（＋Ｙ）側かつ塗布液の吐出方向の反対側、つまり（＋Ｚ）側に延設されている。より詳しくは、リップ部７６の（＋Ｙ）側端部を斜め上方から切り欠き、鉛直下方から見たときに傾斜部７３が略三角形状（あるいは台形形状）を呈するように設けられている。このため、傾斜部７３ののうち鉛直下方を臨む傾斜面７３１のＸ方向寸法は吐出口７１１に近づくにつれて狭くなり、吐出口形成部７２の先端面７２１と接続する位置で先端面７２１のＸ方向寸法と一致する。
【００３５】
一方、吐出口形成部７２を挟んで傾斜部７３の反対側では、段差部７４が吐出口形成部７２の（−Ｙ）側端部Ｐ３から（＋Ｚ）側に延びて設けられている。つまり、段差部７４の表面７４１は吐出口形成部７２の先端面７２１を（−Ｙ）方向に延長させた仮想水平面よりも（＋Ｚ）方向に後退され、表面７４１と先端面７２１との間に段差が形成されている。
【００３６】
なお、図２中の符号Ｐ１は次に説明するノズルクリーナ８ｃのスクレーパがノズル清掃動作において最初に当接する傾斜面接触位置であり、符号Ｐ２はノズルクリーナ８ｃによる吐出口形成部７２のノズル清掃動作が開始される清掃開始位置、つまり吐出口７１１の（＋Ｙ）側端部の位置を示し、符号Ｐ３はノズルクリーナ８ｃによる吐出口形成部７２の吐出口終端位置、つまり吐出口７１１の（−Ｙ）側端部の位置を示している。
【００３７】
図３Ａはノズルクリーナの構成を示す斜視図であり、図３Ｂは図３Ａに示すノズルクリーナの部分拡大斜視図である。また、図４はノズルクリーナのスプレッダを示す斜視図である。ノズルクリーナ８ｃは、ノズル７１のリップ部７６に沿った清掃方向Ｄｃへノズル清掃部材８１を伴って移動することでリップ部７６に付着する付着物を除去する除去ユニット８ｃ１と、除去ユニット８ｃ１を清掃方向Ｄｃに駆動する駆動ユニット８ｃ２とを備えている。ここで、清掃方向Ｄｃは吐出口７１１の延設方向Ｙと平行で（＋Ｙ）側から（−Ｙ）側に向かう方向を意味しており、駆動ユニット８ｃ２は除去ユニット８ｃ１をＹ方向へ往復移動させることが可能となっている。なお、除去ユニット８ｃ１による除去対象となる付着物としては、ノズル７１のリップ部７６に付着しうる種々の物質が挙げられ、例えば塗布液の溶質が乾燥・固化したものがある。例えば塗布液がカラーフィルター用のフォトレジストである場合には、塗布液に含まれる顔料が付着物としてノズル７１のリップ部７６に付着する。
【００３８】
また図示を省略しているが、ノズルクリーナ８ｃは上記した除去ユニット８ｃ１および駆動ユニット８ｃ２以外に、洗浄部およびリンス液供給部を備えている。洗浄部は、ノズル清掃部材８１を密閉することで形成した密閉空間の内部でノズル清掃部材８１を洗浄するものである。つまり、洗浄部は、ノズル７１のリップ部７６に付着する付着物を拭き取って除去したノズル清掃部材８１に対して、上記密閉空間内で洗浄液を供給することでノズル清掃部材８１に付着する上記付着物を洗い流す。この洗浄部としては、例えば特開２０１４−１７６８１２号公報に記載されたものを用いることができる。また、リンス液供給部は、その先端が除去ユニット８ｃ１に取り付けられた可撓性のリンス液供給管を介して除去ユニット８ｃ１にリンス液を供給する機能を有している。
【００３９】
除去ユニット８ｃ１は主として、ノズル７１のリップ部７６に対応する凹部（本実施形態では略Ｖ字型のＶ字溝）を有するノズル清掃部材８１と、ノズル清掃部材８１を支持する支持部８２とを有する。なお、図３Ａでは、ノズル７１の清掃方向Ｄｃの上流側端部よりさらに清掃方向Ｄｃの上流側の位置に除去ユニット８ｃ１が位置するときの、ノズル７１および除去ユニット８ｃ１の構成が示されている。
【００４０】
除去ユニット８ｃ１は、スプレッダ８１Ａおよびスクレーパ８１Ｂの２種類のノズル清掃部材８１を有する。これらノズル清掃部材８１のうち、スプレッダ８１Ａはリンス液をノズル７１のリップ部７６に塗り広げるリンス液供給機能を担い、スクレーパ８１Ｂはスプレッダ８１Ａの清掃方向Ｄｃの上流側でノズル７１のリップ部７６からリンス液を除去する液切り機能を担う。これによって、ノズル７１のリップ部７６の付着物をリンス液とともに除去することができる。つまり、乾燥して固化した塗布液等の付着物がリップ側面７６２に付着している場合、スプレッダ８１Ａにより塗り広げられたリンス液が付着物をある程度溶解し、この溶解物（付着物）を含むリンス液がスクレーパ８１Ｂによって除去される。このようにノズル清掃部材８１は、スプレッダ８１Ａおよびスクレーパ８１Ｂを用いて、ノズル７１のリップ部７６から付着物を除去するノズル清掃処理を実行する。これらスプレッダ８１Ａおよびスクレーパ８１Ｂはリンス液を供給する液供給孔８１０の有無を除いて共通する外形を有する。そのため、図４ではスプレッダ８１Ａの外形が２種類のノズル清掃部材８１を代表して示されている。
【００４１】
図４に示すように、ノズル清掃部材８１は支持部８２により支持可能な本体８１１で構成されている。スクレーパ８１Ｂの本体８１１は例えば９００〜４０００ＭＰａ（メガパスカル）の弾性率を有する弾性体で形成されており、スプレッダ８１Ａの本体８１１はスクレーパ８１Ｂの本体８１１より硬い硬質体で形成されている。そして、本体８１１の中央部が支持部８２に支持される被支持部８１２となっている。本体８１１は、被支持部８１２から延設された延設部８１３を有し、この延設部８１３の先端に、略Ｖ字型の溝であるＶ字溝８１４が形成されている。Ｖ字溝８１４は、ノズル７１のリップ部７６に対応した形状をしており、リップ側面７６２ａに応じた傾斜を持った内側面８１５ａと、リップ側面７６２ｂに応じた傾斜を持った内側面８１５ｂとを有する。そして、スプレッダ８１Ａの各内側面８１５ａ、８１５ｂには、リンス液供給部のリンス液供給管が取り付けられた液供給孔８１０が形成されており、リンス液供給管を介して供給されたリンス液が液供給孔８１０から吐出される。一方、スクレーパ８１Ｂの各内側面８１５ａ、８１５ｂには液供給孔８１０が形成されていない。なお、以下において、内側面８１５ａ、８１５ｂを区別しないときには単に内側面８１５と称する。
【００４２】
このように構成された各ノズル清掃部材８１は図３Ａや図３Ｂに示すように２本の締結金具、例えばボルト８４によって支持部８２に着脱自在に固定される。つまり、支持部８２は、Ｚ方向に昇降可能な昇降部８２１と、昇降部８２１の上面にＺ方向へ立設されてＸ方向に並ぶ２本の柱部８２２Ａ、８２２Ｂとを有する。そして、柱部８２２Ａ、８２２Ｂのうち、清掃方向Ｄｃの下流側の柱部８２２Ａの上端に対してスプレッダ８１Ａが締結され、清掃方向Ｄｃの上流側の柱部８２２Ｂの上端に対してスクレーパ８１Ｂが締結されている。より具体的には、各ノズル清掃部材８１の被支持部８１２は、対応する柱部８２２Ａ、８２２Ｂの上端部に係合可能な形状に仕上げられている。そして、各ノズル清掃部材８１は、それぞれのＶ字溝８１４をスリットノズル２側に向けつつ、Ｘ方向に延設されるスリットノズル２に対して所定の傾斜角度で傾いた状態で、柱部８２２Ａ、８２２Ｂの上端部に締結される。なお、柱部８２２Ｂの上端は柱部８２２Ａの上端よりも高く、スクレーパ８１Ｂはスプレッダ８１Ａよりも高い位置に支持される。
【００４３】
支持部８２は、このように各ノズル清掃部材８１が固定された昇降部８２１の下方にベース部８２３を有する。そして、昇降部８２１はベース部８２３によって昇降可能に支持されている。つまり、支持部８２では、ベース部８２３の上面からＺ方向に立設されたガイドレール８２４と、ベース部８２３と昇降部８２１との間に設けられた付勢部材８２５（例えば、圧縮バネ）とが設けられている。そして、ガイドレール８２４が昇降部８２１の移動をＺ方向に案内しつつ、付勢部材８２５がベース部８２３に対して昇降部８２１を上方へ付勢する。そのため、昇降部８２１に固定された各ノズル清掃部材８１は、付勢部材８２５の付勢力により上方へ付勢される。
【００４４】
また、支持部８２のベース部８２３は、駆動ユニット８ｃ２に取り付けられている。この駆動ユニット８ｃ２は、Ｙ方向においてノズル７１の両外側に配置された一対のローラ８５１、８５１と、ローラ８５１、８５１に掛け渡された無端ベルト８５２とを有し、無端ベルト８５２の上面に支持部８２のベース部８２３が取り付けられている。このように構成された駆動ユニット８ｃ２は、ローラ８５１、８５１を回転させて無端ベルト８５２の上面をＹ方向へ駆動して、支持部８２に伴って各ノズル清掃部材８１をＹ方向へ移動させる。
【００４５】
そして、以上のように構成されたノズルクリーナ８ｃは、上記したノズル清掃位置に相当する傾斜面接触位置Ｐ１に位置するノズル７１のリップ部７６に各ノズル清掃部材８１を下方から近接させると、ノズル清掃部材８１のうちスクレーパ８１Ｂのみがノズル７１の傾斜面７３１に当接し、付勢部材８２５により押し付けられる。つまり、スクレーパ８１ＢのＶ字溝８１４がノズル７１と当接する。このときのＶ字溝８１４とノズル７１との当接状態をコントロールするために、本実施形態では、スクレーパ８１Ｂに対応して開口調整部８６が設けられている。
【００４６】
開口調整部８６は、図３Ｂに示すように、昇降部８２１上でＶ字溝８１４の幅方向Ｘと平行に延設されたベースプレート８６１と、スクレーパ８１Ｂの（＋Ｘ）側および（−Ｘ）側に配置される押圧部材８６２、８６３と、押圧部材８６２、８６３をベースプレート８６１に固定する締結部材８６４、８６４とを備えている。ベースプレート８６１は昇降部８２１に固定されている。そして、ベースプレート８６１に対して押圧部材８６２、８６３が幅方向Ｘに移動自在となっている。押圧部材８６２の上端部には、スクレーパ８１Ｂに向けて突起部位８６２ａが設けられている。このため、ユーザやオペレータが押圧部材８６２をベースプレート８６１に沿って（−Ｘ）方向にスライドさせることで、突起部位８６２ａがスクレーパ８１Ｂの一部を押圧する。
【００４７】
より詳しくは、スクレーパ８１Ｂでは、Ｖ字溝８１４の形成により延設部８１３に幅方向Ｘに２つのショルダ部位８１６ａ、８１６ｂが形成されている。これらのうち（＋Ｘ）側に位置するショルダ部位８１６ａに対いて突起部位８６２ａが（−Ｘ）方向に押圧力（応力）を加える。これにより、ショルダ部位８１６ａが（−Ｘ）側に変形し、Ｖ字溝８１４を構成する内側面８１５ａの傾斜が変更される。また、押圧部材８６３の上端部にも、押圧部材８６２と同様に、スクレーパ８１Ｂに向けて突起部位８６３ａが設けられている。このため、ユーザらが押圧部材８６３をベースプレート８６１に沿って（＋Ｘ）方向にスライドさせることで、（−Ｘ）側に位置するショルダ部位８１６ｂに対いて突起部位８６３ａが（＋Ｘ）方向に押圧力（応力）を加える。これにより、ショルダ部位８１６ｂが（＋Ｘ）側に変形し、Ｖ字溝８１４を構成する内側面８１５ｂの傾斜が変更される。こうして、Ｖ字溝８１４の開口形状が変更される。そして、当該開口形状が所望形状となった時点で、ボルトなどの締結部材８６４、８６４により押圧部材８６２、８６３をベースプレート８６１に固定する。ここでは、（＋Ｘ）側および（−Ｘ）側の両方向から開口調整を行っているが、一方からのみ調整してもよい。なお、開口形状を変更させる理由および変更態様については、後で詳述する。
【００４８】
上記したようにノズル７１のリップ部７６からスプレッダ８１Ａを離間しつつスクレーパ８１ＢのＶ字溝８１４をノズル７１のリップ部７６に押し付けた状態で、各ノズル清掃部材８１を清掃方向Ｄｃに移動させることで、ノズル７１のリップ部７６を清掃する。
【００４９】
図５はノズルクリーナによるノズル清掃処理の一例を示すフローチャートである。図６は図５のフローチャートに従って実行される動作を模式的に示す正面図である。塗布装置１では、制御ユニット９の記憶手段に記憶されている制御プログラムにしたがって演算手段が装置各部を以下のように制御することによってノズル清掃部材８１によるノズル７１の清掃動作が実行される。
【００５０】
ステップＳ１０１では、駆動ユニット８ｃ２による駆動を受けて、除去ユニット８ｃ１が傾斜面接触位置Ｐ１に移動する。これにより傾斜面接触位置Ｐ１に位置決めされたノズル７１の傾斜部７３の下方に除去ユニット８ｃ１が位置し、スプレッダ８１Ａおよびスクレーパ８１Ｂは傾斜部７３の傾斜面７３１に下方から対向する（図６の「Ｓ１０１」の欄）。この時点では、清掃方向Ｄｃにおいてスプレッダ８１Ａおよびスクレーパ８１Ｂはいずれも吐出口７１１を有する吐出口形成部７２よりも上流側に位置している。また、ステップＳ１０１においては、ノズル７１の傾斜部７３と、スプレッダ８１Ａおよびスクレーパ８１ＢとはＺ方向に離間している。
【００５１】
こうして傾斜面接触位置Ｐ１への除去ユニット８ｃ１の移動が完了すると、図６の「Ｓ１０２」の欄に示すように、ノズル７１は吐出口７１１から所定量の塗布液Ｌａを吐出する（ステップＳ１０２）。ここでの塗布液Ｌａの吐出は、吐出口７１１に部分的に入り込んでいるエアや洗浄液を排出することを主目的のひとつとして実行している。したがって、図６では誇張されているが、塗布液Ｌａは吐出口７１１から下方に僅かに出る程度に吐出される。
【００５２】
次のステップＳ１０３では、図６の「Ｓ１０３」の欄中の矢印で示すように、上方位置より低い下方位置へノズル７１が下降する。詳しくは、ノズル７１が下降を開始するとノズル７１の傾斜部７３とスクレーパ８１Ｂとの間の間隔が減少し、傾斜部７３においてリップ側面７６２とスクレーパ８１Ｂの内側面８１５とが接触する。ノズル７１はさらに下降し、付勢部材８２５の付勢力に抗してスクレーパ８１Ｂを下方へ押し下げる。また、スプレッダ８１Ａは、その両内側面８１５の間に入り込んだリップ側面７６２と各内側面８１５との間に一定の間隔を保ったまま、スクレーパ８１Ｂとともに下方へ移動する。こうして、傾斜部７３においてスクレーパ８１Ｂの内側面８１５が付勢部材８２５の付勢力によりリップ側面７６２に押し付けられるとともに、スプレッダ８１Ａの内側面８１５とリップ側面７６２との間には一定の間隔が確保される。なお、スクレーパ８１Ｂはリップ側面７６２に当接するが、スプレッダ８１Ａおよびスクレーパ８１Ｂのそれぞれと傾斜部７３の傾斜面７３１との間には間隔が形成され、スプレッダ８１Ａおよびスクレーパ８１Ｂのそれぞれは傾斜面７３１の幅方向における中央部に接触しない。ただし、ステップＳ１０３の実行によってスクレーパ８１Ｂの内側面８１５がリップ側面７６２に当接するのであれば、スクレーパ８１Ｂが傾斜面７３１の中央部に当接するように構成しても構わない。
【００５３】
上述のように、スプレッダ８１Ａおよびスクレーパ８１Ｂは共通する外形を有し、また、スクレーパ８１Ｂはスプレッダ８１Ａよりも高い位置に支持される。その結果、スクレーパ８１Ｂの内側面８１５はリップ側面７６２に押し付けられて当接する一方、スプレッダ８１Ａの内側面８１５はリップ側面７６２に一定の間隔を空けて対向した状態となる。このようにスプレッダ８１Ａおよびスクレーパ８１Ｂを共通する外形とすることにより（特にＶ字溝８１４を同じ形状とすることにより）、上記間隔を確実に形成することができる。なお、スプレッダ８１ＡのＶ字溝８１４を、スクレーパ８１ＢのＶ字溝８１４より大きくすることにより、上記間隔を確保しても良い。
【００５４】
こうしてノズル７１の下降が完了すると、スプレッダ８１Ａの液供給孔８１０からリンス液Ｌｂが吐出され、ノズル７１の傾斜部７３とスプレッダ８１Ａとの間へのリンス液の供給が開始される（ステップＳ１０４）。本実施形態では、塗布液Ｌａの吐出のみならず、リンス液Ｌｂを吐出しているが、その理由はスクレーパ８１Ｂの高速移動に対応するためである。つまり、スクレーパ８１Ｂによるノズル清掃時の潤滑液として塗布液Ｌａを利用することは可能であるが、その際のスクレーパ８１Ｂの移動速度が高くなると、塗布液のみでは十分な潤滑作用を得ることが難しくなることがある。そこで、本実施形態では、スクレーパ８１Ｂの移動速度を高めてノズル清掃処理に要する時間の短縮化を図るために、ノズル清掃処理時に潤滑剤として塗布液Ｌａとリンス液Ｌｂとを併用している。ただし、リンス液Ｌｂの吐出量は一定以下に抑えられている。より具体的には、ノズル清掃処理後の吐出口７１１に対し、リンス液と塗布液の混合液（塗布処理に影響を与えない程度でリンス液で薄められた塗布液）または、塗布液のみが残存するように、リンス液Ｌｂの単位時間あたりの供給量（吐出量）を調整するのが好適である。なお、リンス液Ｌｂとしては種々の液体を利用でき、例えば塗布液を組成する溶媒であっても良い。この場合、溶媒であるリンス液に溶質を溶かした溶液が塗布液となる。
【００５５】
続いて、駆動ユニット８ｃ２が清掃方向Ｄｃへ除去ユニット８ｃ１を駆動することで、スプレッダ８１Ａおよびスクレーパ８１Ｂを清掃方向Ｄｃへ移動させる部材移動動作を開始する（ステップＳ１０５）。この部材移動動作の初期段階では、傾斜面７３１に沿ってスクレーパ８１Ｂは付勢部材８２５の付勢力に抗して徐々に押し下げられながらスプレッダ８１Ａとともに吐出口形成部７２に向かって移動する。こうして吐出口形成部７２に移動した際にもスプレッダ８１Ａおよびスクレーパ８１Ｂは傾斜面７３１と同様の位置関係を有している。つまり、スプレッダ８１Ａおよびスクレーパ８１Ｂのそれぞれは、リップ側面７６２に当接する位置関係であるため、スプレッダ８１Ａおよびスクレーパ８１Ｂのそれぞれと吐出口形成部７２の先端面７２１との間には間隔が形成される一方、スプレッダ８１Ａおよびスクレーパ８１Ｂのそれぞれは先端面７２１に接触しない。ただし、スクレーパ８１Ｂの内側面８１５がリップ側面７６２に当接するのであれば、スクレーパ８１Ｂが先端面７２１に当接するように構成しても構わない。
【００５６】
こうしてスプレッダ８１Ａおよびスクレーパ８１Ｂが傾斜面接触位置Ｐ１から清掃開始位置Ｐ２に移動した後も部材移動動作は継続され、清掃開始位置Ｐ２で吐出口形成部７２の清掃動作が開始される。さらに、図６の「Ｓ１０４−Ｓ１０５」の欄に示すように、清掃開始位置Ｐ２から清掃方向Ｄｃに移動している間も液供給孔８１０からのリンス液Ｌｂの供給が継続されている。したがって、吐出口形成部７２においても、スプレッダ８１Ａは液供給孔８１０から供給されたリンス液Ｌｂをリップ側面７６２に広げつつ清掃方向Ｄｃへ移動する。その結果、清掃方向Ｄｃにおけるスプレッダ８１Ａとスクレーパ８１Ｂとの間では、リップ側面７６２にリンス液Ｌｂが塗り広げられている。
【００５７】
また、部材移動動作において、その内側面８１５で当接しながら清掃方向Ｄｃに移動するスクレーパ８１Ｂは、スプレッダ８１Ａにより広げられたリンス液Ｌｂをリップ側面７６２から除去する。この際、スプレッダ８１Ａより広げられたリンス液Ｌｂがスクレーパ８１Ｂの内側面８１５とリップ側面７６２との間の僅かな隙間に毛細管現象により入り込む。こうして、リンス液Ｌｂがスクレーパ８１Ｂの内側面８１５とノズル７１のリップ側面７６２との間を満たして、これらの間に生じる摩擦力を緩和する。また、スクレーパ８１Ｂは、リンス液Ｌｂの除去と並行して、ノズル７１の吐出口７１１から下方に突出した塗布液Ｌａを掻き取って、吐出口７１１を満たす塗布液Ｌａの下部を清掃方向Ｄｃに沿って均す。このような一連の動作は、吐出口７１１の（−Ｙ）側端部の位置である吐出口終端位置Ｐ３まで実行されるが、さらに段差部７４を通過する間も、吐出口形成部７２と同様にしてノズル清掃処理が継続される。
【００５８】
そして、除去ユニット８ｃ１が段差通過位置Ｐ４に到達して、スプレッダ８１Ａおよびスクレーパ８１Ｂがノズル７１よりも清掃方向Ｄｃの下流側に移動すると、駆動ユニット８ｃ２が除去ユニット８ｃ１を停止させる（ステップＳ１０６）。また、液供給孔８１０からのリンス液の供給が停止する（ステップＳ１０７）。
【００５９】
なお、こうしてノズル７１のノズル清掃処理が完了すると、位置決め機構７９がノズル７１を塗布ステージ３２の上方の塗布位置（点線で示される位置）に移動させる。そして、塗布位置に位置決めされたノズルから塗布液が吐出されて、塗布ステージ３２との間を搬送されてくる基板Ｗに塗布される（塗布工程）。
【００６０】
以上のように構成された第１実施形態では、吐出口形成部７２の（＋Ｙ）側に傾斜部７３が設けられるとともに（−Ｙ）側に段差部７４が設けられている。このため、吐出口７１１の延設方向Ｙにおける吐出口形成部７２の両端部において毛細管現象による塗布液の広がりを防止することができ、塗布液を適正範囲に塗布することができる。しかも、傾斜面接触位置Ｐ１でスクレーパ８１Ｂがノズル７１に当接した後、傾斜部７３は当接状態を維持したままスクレーパ８１Ｂを吐出口形成部７２に案内してノズル清掃を行っている。このため、スクレーパ８１Ｂによるノズル７１の摩耗や破損を効果的に抑制することができる。その結果、ノズル７１やスクレーパ８１Ｂの長寿命化が可能となり、ランニングコストやメンテナンス性を向上させることができる。
【００６１】
ところで、上記したノズル清掃処理を繰り返して行っている間にノズル清掃部材８１は摩耗する。特に、スクレーパ８１ＢのＶ字溝８１４がノズル７１のリップ部７６（＝傾斜部７３、吐出口形成部７２および段差部７４）と当接しながら摺動するため、スプレッダ８１Ａに比べて摩耗し易い。しかも、上記特許文献２に記載の装置と同様に、Ｖ字溝８１４がノズル７１のリップ部７６にフィットするようにスクレーパ８１Ｂが構成された場合、局部的な摩耗が進行してノズル清掃能力が低下することがある。そこで、本実施形態では、スクレーパ８１Ｂの内側面８１５がリップ側面７６２に押し付けられるまでのＶ字溝８１４の開口形状を次のように調整している。
【００６２】
図７は清掃方向の下流側から見たときのノズルのリップ部とスクレーパとの位置関係を模式的に示す図である。同図中の（ａ−１）ないし（ａ−４）欄にはＶ字溝８１４をノズル７１のリップ部７６にフィットさせる例（以下「比較例」という）が図示される一方、（ｂ−１）ないし（ｂ−４）欄には上記実施形態が図示されている。なお、同図中の（ａ−１）および（ｂ−１）欄には、ノズル７１のリップ部７６とスクレーパ８１ＢとがＺ方向に離間している状態が図示されている。同欄中の１点鎖線はノズル７１とスクレーパ８１Ｂとの近接方向、つまりＺ方向と平行な仮想線であり、符号θａ１、θｂ１は近接方向Ｚに対するリップ側面７６２の傾斜角を示し、符号θａ２、θｂ２は近接方向Ｚに対するＶ字溝８１４の内側面８１５の傾斜角を示している。
【００６３】
また、（ａ−２）および（ｂ−２）欄にはノズル７１のリップ部にスクレーパ８１Ｂが接触した状態でのスクレーパ８１Ｂに印加されると推測される応力が実線矢印で図示され、（ａ−３）および（ｂ−３）欄にはノズル７１のリップ部７６にスクレーパ８１Ｂが押し付けられた状態でのスクレーパ８１Ｂに印加されると推測される応力が実線矢印で図示されている。これらの実線矢印の長さは応力の大きさを示している。さらに、（ａ−４）および（ｂ−４）欄にはノズル清掃処理を繰り返して行った後のスクレーパ８１ＢのＶ字溝８１４の形状が模式的に示されている。
【００６４】
ここでは、まず比較例について説明する。比較例では、傾斜角θａ１、θａ２が同じであり、ノズル７１のリップ側面７６２とＶ字溝８１４の内側面８１５とが平行となるように構成されている。このため、ノズル７１を下降させてリップ側面７６２をスクレーパ８１Ｂの内側面８１５に接触させると、（ａ−２）欄に示すように比較的広い範囲で力が均等に印加される。そして、ノズル７１をさらに下降させることで、付勢部材８２５の付勢力に抗してスクレーパ８１Ｂを弾性変形させながら下方へ押し下げることになるが、このとき、（ａ−３）欄中の点線で描かれた丸印で示すようにスクレーパ８１Ｂの内側面８１５に印加される力はノズル７１の先端、つまりリップ部７６の先端角部に集中する。ノズル清掃処理においては、この状態でノズル７１に対してスクレーパ８１Ｂが摺動するため、（ａ−４）欄に示すように、ノズル７１の先端と接する部分が大きく摩耗して摩耗部位８１６が発生し、Ｖ字溝８１４の開口形状が変化してしまう。その結果、十分な液切り性能が得られないことがある。また、摩耗箇所が吐出口７１１に近いために、摩耗粉が吐出口７１１に入ってしまい、塗布処理中において基板Ｗに塗布された塗布液に混入する可能性がある。
【００６５】
そこで、本実施形態では、図７の（ｂ−１）欄に示すように、開口調整部８６によりＶ字溝８１４を構成する内側面８１５の傾斜角θｂ２がノズル７１のリップ側面７６２の傾斜角θｂ１よりも小さくなるように傾斜角調整を行い、ノズル７１のリップ側面７６２とＶ字溝８１４の内側面８１５とを非平行状態に調整している。こうしてＶ字溝８１４の開口形状を変更させたまま、ノズル７１を下降させてリップ側面７６２をスクレーパ８１Ｂの内側面８１５に接触させると、（ｂ−２）欄に示すように、当該接触はＶ字溝８１４の開口側の端部のみとなる。この段階では、リップ側面７６２へのスクレーパ８１Ｂの押し付けは作用しておらず、この状態で内側面８１５のうちＶ字溝８１４の開口側の端部でノズル７１のリップ部７６が係止されている。そして、ノズル７１をさらに下降させることで、付勢部材８２５の付勢力に抗してスクレーパ８１Ｂを弾性変形しながら下方へ押し下げることになるが、このとき、スクレーパ８１Ｂの内側面８１５に印加される力が及ぶ範囲、つまり内側面８１５によるリップ部７６の押圧範囲は徐々に広がり、リップ部７６の先端角部に集中することなく、分散される。本実施形態では、この状態でノズル７１に対してスクレーパ８１Ｂが摺動してノズル清掃処理を実行するため、摩耗量は少なく、（ｂ−４）欄に示すように、摩耗部位８１６は比較例に比べて小さく、Ｖ字溝８１４の変化が抑制される。その結果、液切り性能の低下を抑え、スクレーパ８１Ｂの寿命を長くすることができる。また、摩耗粉の発生を効果的に抑えることができ、塗布処理を良好に行うことができる。
【００６６】
また、ノズル７１やスクレーパ８１ＢのＶ字溝８１４の仕様変更が発生した場合にも柔軟に対応することができる。つまり、開口調整部８６を有さない塗布装置１（図７の「比較例」の欄を参照）では、変更後の仕様に対応した開口形状を有するスクレーパ８１Ｂを再製作する必要があり、仕様変更に対して迅速に対応することが難しい。特に、スクレーパ８１Ｂを成型品で提供する場合にはバリやパーティングラインの課題を解消するために、新たなスクレーパ８１Ｂの提供に時間がかかることが多い。また、ノズル清掃処理を繰り返している間に、摩耗によってＶ字溝８１４の開口形状が変形して所望のノズル清掃効果が得られず、スクレーパ８１Ｂの新品交換が必要となることもある。これに対し、開口調整部８６を有する塗布装置１（図７の「実施形態」の欄を参照）では、吐出口７１１の延設方向Ｙと交差する方向（本実施形態では、Ｘ方向）からスクレーパ８１Ｂに応力を加えることでＶ字溝８１４の開口形状を調整可能となっている。その結果、ノズルの仕様変更に柔軟に対応することができるとともに、ノズル当接部材の消耗に応じた開口形状の調整によりノズル当接部材の長寿命化を図ることができ、高い汎用性が得られる。
【００６７】
以上のように上記実施形態では、リップ部７６が本発明の「ノズルの先端部」の一例に相当し、当該リップ部７６を清掃するノズルクリーナ８ｃが本発明の「ノズル清掃装置」の一例に相当し、駆動ユニット８ｃ２が本発明の「駆動部」の一例に相当している。また、スクレーパ８１Ｂが本発明の「ノズル当接部材」の一例に相当し、スクレーパ８１ＢのＶ字溝８１４が本発明の「凹部」の一例に相当している。また、リップ部７６のうちスクレーパ８１Ｂの内側面８１５により押圧される面、つまりリップ側面７６２ａ、７６２ｂが本発明の「被押圧面」の一例に相当している。また、Ｙ方向が本発明の「吐出口の延設方向」に相当している。
【００６８】
なお、本発明は上記した実施形態に限定されるものではなく、その趣旨を逸脱しない限りにおいて上述したもの以外に種々の変更を行うことが可能である。例えば上記実施形態では、ショルダ部位８１６ａ、８１６ｂに対いて突起部位８６２ａ、８６２ｂがそれぞれ（−Ｘ）方向および（＋Ｘ）方向に押圧力を加えて開口調整を行っているが、押圧力を加える方向はＸ方向に限定されるものではなく、延設方向Ｙと交差する方向から押圧力を加えて開口調整を行ってもよい。
【００６９】
また、上記実施形態では、平板形状を有するベースプレート８６１上に押圧部材８６２、８６３を位置決めするとともに締結部材８６４、８６４により押圧部材８６２、８６３をベースプレート８６１に固定しているが、図８に示すように構成してもよい。図８は本発明にかかるノズル清掃装置の他の実施形態を示す図であり、スクレーパ８１Ｂを移動方向Ｙの（−Ｙ）側から（＋Ｙ）側に見た状態を模式的に示している。同図に示すようにベースプレート８６１の上面に凹部８６１ａがスクレーパ８１ＢのＶ字溝８１４の幅方向Ｘと平行に設けられ、凹部８６１ａのＸ方向の両側で段差部が形成されている。押圧部材８６２の下方端部のうち（−Ｘ）側の部位が下方に突起している。そして、突起部位８６２ｂが凹部８６１ａに入り込む一方、突起部位８６２ｂ以外の押圧部材８６２の下方端部がベースプレート８６１上に載置されており、突起部位８６２ｂがベースプレート８６１の（＋Ｘ）側の段差部に係合されている。この係合状態で押圧部材８６２が締結部材８６４によりベースプレート８６１に固定されている。また、押圧部材８６３も押圧部材８６２と同様にして固定されている。つまり、押圧部材８６３の（＋Ｘ）側の突起部位８６３ｂがベースプレート８６１の（−Ｘ）側の段差部に係合された状態で押圧部材８６３が締結部材８６４によりベースプレート８６１に固定されている。このため、図３Ｂに示す実施形態よりも押圧部材８６２、８６３を強固に位置決め固定することができ、調整済のＶ字溝８１４の開口形状をより安定して維持することができる。また、係合状態により固定することにより、押圧部材８６２、８６３をベースプレート８６１に対して、正確に位置決めすることができる。この結果、スクレーパ８１Ｂに対する押圧部材８６２、８６３による押圧力（応力）を正確に設定することができる。
【００７０】
また、図９に示すように、突起部位８６２ａ、８６２ｂを設ける代わりに、押圧部材８６２、８６３の上端部とスクレーパ８１Ｂのショルダ部位８１６ａ、８１６ｂとの間にシムやスペーサなどの薄板部材８６５を介挿して開口調整を行ってもよい。
【００７１】
また、図７ないし図９に示す実施形態では、幅方向Ｘにおいてスクレーパ８１Ｂの側端部を部分的に押圧して開口調整を行っているが、例えば図１０に示すように、幅方向Ｘの両側よりスクレーパ８１Ｂの側端部全体を押圧して（傾斜角θｂ２＜傾斜角θｂ１）となるように開口形状を調整してもよい。
【００７２】
また、上記実施形態では、図２に示すようにノズル７１のリップ部７６がＸ方向において左右対称な外観構造を有していることから、それに対応して開口調整部８６も幅方向Ｘにおいて左右対称な構成を有している。ここで、リップ部７６の外観構造が非対称である場合には、それに応じてスクレーパ８１Ｂおよび開口調整部８６も非対称に構成するのが好適である。
【００７３】
また、上記実施形態では、開口調整部８６を用いてスクレーパ８１ＢのＶ字溝８１４を所望の開口形状に整えているが、予め（傾斜角θｂ２＜傾斜角θｂ１）を満足するスクレーパ８１Ｂを成形し、これを使用してもよい。この場合、開口調整部８６が不要となる。
【００７４】
また、上記実施形態では、リップ部７６に傾斜部７３や段差部７４が設けられたノズル７１を清掃するノズル清掃装置やノズル清掃方法に本発明を適用しているが、本発明の適用対象はこれに限定されるものではなく、リップ部に設けられた吐出口から塗布液を吐出するノズル全般を清掃するノズル清掃技術に対して適用可能である。
【産業上の利用可能性】
【００７５】
この発明は、ノズルの先端部に付着する付着物をノズル当接部材により除去して上記ノズルを清掃するノズル清掃技術全般に対して適用することができる。
【符号の説明】
【００７６】
１…塗布装置
８ｃ…ノズルクリーナ（ノズル清掃装置）
８ｃ１…除去ユニット
８ｃ２…駆動ユニット（駆動部）
７１…ノズル
７６…リップ部（ノズルの先端部）
８１Ｂ…スクレーパ（ノズル当接部材）
８６…開口調整部
７６２…リップ側面（被押圧面）
８１４…Ｖ字溝（凹部）
８１５，８１５ａ，８１５ｂ…内側面
８６２、８６３…押圧部材（応力印加部材）
Ｘ…（Ｖ字溝の）幅方向
Ｙ…延設方向
Ｚ…近接方向
θａ１、θｂ１…（近接方向Ｚに対するリップ側面７６２の）傾斜角
θａ２，θｂ２…（近接方向Ｚに対するＶ字溝８１４の内側面８１５の）傾斜角
【図１】
2018187598.tif 000003
【図２】
2018187598.tif 000004
【図３Ａ】
2018187598.tif 000005
【図３Ｂ】
2018187598.tif 000006
【図４】
2018187598.tif 000007
【図５】
2018187598.tif 000008
【図６】
2018187598.tif 000009
【図７】
2018187598.tif 000010
【図８】
2018187598.tif 000011
【図９】
2018187598.tif 000012
【図１０】
2018187598.tif 000013